(57)【要約】【課題】開閉器の材質に関係なく、開閉器に浸水検出器を確実に取り付ける。【解決手段】取付治具１では、ベース板２の上に、２個の吸盤３をそれぞれ支える２個の支持部４、真空ポンプ５、２個の電池７及び電源入切受信部８が固定されている。ベース板２の中央に枠２１が設けられ、枠２１に挿通する３本のネジ９が浸水検出器Ｄに圧接することによって、取付治具１が浸水検出器Ｄに固定される。吸盤３には、吸気口３１が設けられ、２個の吸気口３１及び真空ポンプ５が吸引管６を介して連通する。吸引管６には、管内部の空気と外気の出入りを調節するニードル弁６１が設けられる。真空ポンプ５は、吸引管６から空気を吸い上げ、吸盤３の吸着力を増加させる。電池７は、真空ポンプ４に電力を供給する。電源入切受信部８は、遠隔制御の下で電池７から真空ポンプ５への電力供給を入切し、浸水検出器Ｄを開閉器Ｂに固定する際に電源を入れ、取り外す際に電源を切る。【選択図】図３
2010078511.tif 000002
【特許請求の範囲】
【請求項１】
浸水検出器を開閉器の下面に取り付けるための取付治具であって、
吸気口を有する吸盤と、
前記吸気口と管を介して連通し、前記吸盤の内部から吸気する真空ポンプと、
前記吸盤及び前記真空ポンプが取り付けられたベース部材と、
前記ベース部材に前記浸水検出器を固定するための固定具と、
を備えることを特徴とする取付治具。
【請求項２】
請求項１に記載の取付治具であって、
前記ベース部材には、切欠部が設けられ、
前記固定具は、
前記切欠部の奥に、前記切欠部を通して前記浸水検出器が内側に入るように設けられた枠体と、
前記枠体に前記浸水検出器を固定するためのネジ部材と、
からなることを特徴とする取付治具。
【請求項３】
請求項１又は請求項２に記載の取付治具であって、
前記管には、当該管の内部と外気との間を開閉するバルブが設けられている
ことを特徴とする取付治具。
【請求項４】
請求項３に記載の取付治具であって、
前記バルブは、開度を調節可能である
ことを特徴とする取付治具。
【請求項５】
請求項１ないし請求項４のいずれか一項に記載の取付治具であって、
遠隔にあるリモコンから信号を受信し、その信号に応じて前記真空ポンプへの電力供給の入切を切り替える信号受信部
をさらに備えることを特徴とする取付治具。
【請求項６】
請求項１ないし請求項５のいずれか一項に記載の取付治具を用いて、前記浸水検出器を前記開閉器の下面に取り付ける取付方法であって、
前記固定具により前記取付治具を前記浸水検出器に固定するステップと、
前記取付治具を前記浸水検出器に固定したものを、前記吸盤から前記開閉器の下面に押し当てるステップと、
前記真空ポンプにより前記吸盤を真空引きするステップと、
を実行することを特徴とする取付方法。
【発明の詳細な説明】
【技術分野】
【０００１】
本発明は、開閉器に超音波式の浸水検出器を取り付ける真空ポンプ式の取付治具に関する。
【背景技術】
【０００２】
柱上用高圧開閉器（以下、開閉器という）の内部が浸水しているか否かを検出するのに、例えば、超音波を利用した浸水検出器が用いられる。その浸水検出器は、一般に磁石により開閉器の底部に密着させて固定するようになっている。なお、特許文献１には、超音波を利用した浸水検出器について開示されている。
【特許文献１】特開平１０−１０４１０８号公報
【発明の開示】
【発明が解決しようとする課題】
【０００３】
２０年以上前に製造された開閉器は炭素鋼板製なので、磁石で固定する浸水検出器を用いるのに支障なかったが、それ以降の開閉器はステンレス（ＳＵＳ３０４）製なので、磁石固定式の浸水検出器を固定できない。そこで、ステンレス製の開閉器に対しては、浸水検出器を手動保持して測定することになるが、完全に固定することが難しいので、浸水検出器による計測値の信頼性は低下してしまう。
【０００４】
本発明は、上記課題を鑑みてなされたものであり、その主たる目的は、開閉器の材質に関係なく、開閉器に浸水検出器を確実に取り付けることにある。
【課題を解決するための手段】
【０００５】
上記課題を解決するために、本発明は、浸水検出器を開閉器の下面に取り付けるための取付治具であって、吸気口を有する吸盤と、前記吸気口と管を介して連通し、前記吸盤の内部から吸気する真空ポンプと、前記吸盤及び前記真空ポンプが取り付けられたベース部材と、前記ベース部材に前記浸水検出器を固定するための固定具とを備えることを特徴とする。  
この構成によれば、吸盤及び真空ポンプを用いて浸水検出器を開閉器の下面に取り付けるので、開閉器の材質に関係なく、確実に取り付けることができる。
【０００６】
また、本発明は、取付治具であって、前記ベース部材には、切欠部が設けられ、前記固定具が、前記切欠部の奥に、前記切欠部を通して前記浸水検出器が内側に入るように設けられた枠体と、前記枠体に前記浸水検出器を固定するためのネジ部材からなることを特徴とする。  
この構成によれば、ネジ部材を用いることで、安定した均等な力により取付治具のベース部材と、浸水検出器とを固定できるので、浸水検出器の自重によりその鉛直度を保持することができる。
【０００７】
また、本発明は、取付治具であって、前記管には、当該管の内部と外気との間を開閉するバルブが設けられていることを特徴とする。  
また、本発明は、取付治具であって、前記バルブが、開度を調節可能であることを特徴とする。  
この構成によれば、バルブを用いて、開閉器の下面の状態に応じて吸盤の圧力を調整することによって、開閉器内部の浸水状況の調査終了後に開閉器から浸水検出器を自然に取り外すことができる。
【０００８】
また、本発明は、遠隔にあるリモコンから信号を受信し、その信号に応じて前記真空ポンプへの電力供給の入切を切り替える信号受信部をさらに備えることを特徴とする。  
この構成によれば、柱上に設置される開閉器の下面は、地上にいる人の手の届かない高さにあり、取付治具も同じくらいの高さになるので、リモコンを使って電源の入切が簡単にでき、開閉器への浸水検出器の着脱が容易に可能である。
【０００９】
なお、本発明は、浸水検出器を開閉器の下面に取り付ける取付方法を含む。その他、本願が開示する課題及びその解決方法は、発明を実施するための最良の形態の欄、及び図面により明らかにされる。
【発明の効果】
【００１０】
本発明によれば、開閉器の材質に関係なく、開閉器に浸水検出器を確実に取り付けることができる。
【発明を実施するための最良の形態】
【００１１】
以下、図面を参照しながら、本発明を実施するための最良の形態を説明する。本発明の実施の形態に係る取付治具は、浸水検出器を開閉器の下面に取り付けるためのものであり、固定具を用いて取付治具と、浸水検出器とを一体化させるとともに、吸盤及びその吸盤を真空引きする真空ポンプを用いて当該取付治具を開閉器の下面に吸着させることによって、浸水検出器を開閉器の下面に取り付けるものである。
【００１２】
≪開閉器及び浸水検出器の概要≫
気中開閉器は、電力回路・電力機器の正常動作時の電路を開閉する大型の機器であり、特に、開閉器内部に空気が密封されて格納されている。気中開閉器の構造の一例が、特開平１０−３３４７７５号公報に開示されている。
【００１３】
図１は、気中開閉器の外観を示す図である。図１（ａ）は、電柱に設置した例を示す。図１（ｂ）は、上面蓋の開閉器の例を示す。図１（ｃ）は、下面蓋の開閉器の例を示す。
【００１４】
図２は、超音波を利用した浸水検出器の概観を示す図である。浸水検出器Ｄは、ホルダ部Ｄ１、操作棒部Ｄ２及び検出機能部Ｄ３を備える。ホルダ部Ｄ１は、超音波を送受信する圧電素子である円柱状の接触子Ｄ１ａと、当該接触子Ｄ１ａを支えるホルダＤ１ｂとを含む。操作棒部Ｄ２は、伸縮自在であり、柱上にある開閉器の高さに応じて長さを調整可能である。検出機能部Ｄ３は、ケーブル（図示せず）を通じて、ホルダ部Ｄ１の接触子Ｄ１ａに超音波を発生させるための電力を供給する。なお、詳細は、特許文献１に開示されている。
【００１５】
≪取付治具の構成≫
図３は、真空ポンプ式の取付治具の構成を示す図である。図３（ａ）は取付治具の正面図であり、図３（ｂ）は取付治具の上面図である。
【００１６】
図３（ａ）に示すように、取付治具１は、ベース板２の上に、２個の吸盤３をそれぞれ支える２個の支持部４、真空ポンプ５、２個の電池７（図３（ｂ）参照）及び電源入切受信部８が固定して設置された（取り付けられた）構成になっている。そして、２個の吸盤３と、浸水検出器Ｄの接触子Ｄ１ａとが同じ方向を向いている。
【００１７】
図３（ｂ）に示すように、取付治具１のベース板２には、奥部が円形状に形成された略矩形状の切欠部２ａが設けられ、この円形状の奥部に一部が欠けたリング状の枠２１が設けられている。浸水検出器Ｄは、切欠部２ａを通して図面中上方から下方へ移動され、枠２１の中に入れられる。そして、枠２１を径方向に挿通する３本のネジ９が浸水検出器Ｄの円筒面（側面）に圧接することによって、取付治具１全体が浸水検出器Ｄに固定される。２個の吸盤３には、それぞれの表面の一部に吸気口３１が設けられ、２個の吸気口３１及び真空ポンプ５が三つ叉の吸引管６を介して連通している。吸引管６のうち、真空ポンプ５につながる部分には、吸盤３の圧力を調整するために、吸引管６内部と外気との間を開閉するバルブであるニードル弁６１が設けられる。
【００１８】
真空ポンプ５は、吸引管６を通して吸盤３の内部から空気を吸い上げ、これにより吸盤３の吸着力を増加させるものであり、例えば、１２Ｖ５ＷのＤＣ（Direct Current）モータを使ったものが用いられる。電池７は、真空ポンプ４に電力を供給する電源であり、例えば、リチウム電池が用いられる。電源入切受信部８は、リモコン（図示せず）による遠隔制御の下で電池７から真空ポンプ５への電力供給の入切を行うものであり、浸水検出器Ｄを開閉器Ｂに固定する際に電源を入れ、浸水検出器Ｄを開閉器Ｂから取り外す際に電源を切るように制御される。この遠隔制御によって電源の入切を行う機能は、高い所（例えば、６ｍ以上）に設置されている開閉器Ｂに浸水検出器Ｄを取り付けたり、外したりするのに非常に便利である。
【００１９】
≪取付治具の使用手順≫
続いて、取付治具１の使用手順について説明する。まず、取付治具１を浸水検出器Ｄに固定する。詳細には、図３（ｂ）に示すように、３本のネジ９を取付治具１の枠２１に挿通させるとともに、３本のネジ９と、浸水検出器Ｄの円筒面とが接触する圧力が均等になるように、各ネジ９を円筒面に圧接する。この場合、図３（ａ）に示すように、電源切時（吸引前）の吸盤３の最上面が浸水検出器Ｄの接触面より所定の長さだけ高くなり、電源入時（吸引後）の吸盤３の最上面が浸水検出器Ｄの接触面と略同じ高さになって、浸水検出器Ｄの接触子Ｄ１ａが開閉器Ｂの底部（下面）に接するように、円筒面に圧接する位置（高さ）を調整して、ネジ９で固定する。実際には、電力会社の営業所に、取付治具１を浸水検出器Ｄに固定したものを保管しておき、開閉器Ｂの浸水状況を調査する際に、現地へ持って行くようにする。なお、始めから取付治具１と、浸水検出器Ｄとを一体化させたものを作ってもよい。
【００２０】
次に、取付治具１を浸水検出器Ｄに固定したものを開閉器Ｂに固定する。詳細には、浸水検出器Ｄの下部（検出機能部Ｄ３の下方）を持って、柱上に設置されている開閉器Ｂの下面に対して浸水検出器Ｄの接触子Ｄ１ａ及び取付治具１の２個の吸盤３を押し当てる。そして、リモコンを操作して、取付治具１の電源入切受信部８に「電源入」を指示する信号を送信する。取付治具１では、電源入切受信部８が「電源入」の信号を受信し、電池７から真空ポンプ５への電力供給を入にするので、真空ポンプ５が動作開始し、２個の吸盤３の吸気口３１から真空ポンプ５へ空気が吸引される。これにより、開閉器Ｂの底部に接触している吸盤３が当該底部に吸着するようになり、その結果として浸水検出器Ｄが開閉器Ｂの底部に固定される。つまり、浸水検出器Ｄから手を離しても、開閉器Ｂに固定されたままになる。これにより、浸水検出器Ｄによる開閉器Ｂ内部の浸水状況の調査を安定的に実施することができる。なお、浸水検出器Ｄの鉛直度は、浸水検出器Ｄそのものの自重によって保持される。そのためにも、３個のネジ９による３点支持が有効である。
【００２１】
そして、浸水検出器Ｄの使用が終了した後、取付治具１を浸水検出器Ｄに固定したものを開閉器Ｂから取り外す。詳細には、浸水検出器Ｄの下部（検出機能部Ｄ３の下方）を持って、リモコンを操作して、取付治具１の電源入切受信部８に「電源切」を指示する信号を送信する。取付治具１では、電源入切受信部８が「電源切」の信号を受信し、電池７から真空ポンプ５への電力供給を切にするので、真空ポンプ５が動作を停止し、２個の吸盤３の吸気口３１から真空ポンプ５への空気の吸引が止まる。これにより、開閉器Ｂの下面と、吸盤３との間の圧力が低下し、取付治具１及び浸水検出器Ｄにかかる重力により、吸盤３が下面から自然に離脱する。
【００２２】
ここで、開閉器Ｂの下面の状態や、取付治具１及び浸水検出器Ｄの重量によって、真空ポンプ５を停止したときの吸盤３の離脱しやすさが異なってくる。そこで、計測開始前に予めニードル弁６１を手動で調節しておくことで、真空ポンプ５の停止後に吸盤３内が大気圧に近くなって、吸盤３が自然に離脱するようにする。例えば、開閉器Ｂの下面（吸着面）が汚れている場合、真空ポンプ５を運転中は１個の吸盤あたり５ｋｇ程度の重量を保持でき、真空ポンプ５を停止すると数秒で自然に離脱するため、予めニ−ドル弁６１を全閉に設定する。すなわち、ニードル弁は必要ない。一方、開閉器Ｂの下面がきれいな場合、仮に全閉にすると、運転中は１個の吸盤あたり９ｋｇの重量を保持でき、真空ポンプ５の停止から自然離脱するのに数十秒を要するため、実際には、下面の状態によって予めニードル弁６１を微開に設定できるようにしておく。ただし、真空ポンプ５の運転中の吸着保持力を損なわない程度の微開に設定しておく必要がある。
【００２３】
なお、下表に材質による吸盤の引っ張り強さを測定した結果を示す。
【表１】
2010078511.tif 000003
【００２４】
図４は、真空ポンプ５の空気量特性の例を示す図である。図４において、ニードル弁６１が全閉及び微開のときの、圧力と空気量の関係を示している。
【００２５】
以上説明した本発明の実施の形態によれば、取付治具１を用いることによって、浸水検出器Ｄを開閉器Ｂに確実に取り付けることができる。これによれば、電力会社の設備（開閉器Ｂ等）や業務（開閉器Ｂ内部の浸水状況の調査等）の信頼性及び安全性の向上を図ることができる。
【００２６】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００２７】
（１）上記実施の形態においては、図３（ｂ）に示すように、３個のネジ９で固定するように記載したが、３個より多いネジ９を使うようにしてもよい。また、２個の吸盤３で固定するように記載したが、２個より多い吸盤３を使うようにしてもよい。
【００２８】
（２）上記実施の形態においては、図３（ａ）に示すように、吸盤３、支持部４、真空ポンプ５、電池７及び電源入切受信部８がベース板２の同一面に設置、固定されているように記載したが、真空ポンプ５、電池７及び電源入切受信部８の一部又は全部が吸盤３及び支持部４とは別の面（ベース板２）に設置、固定されていてもよい。
【図面の簡単な説明】
【００２９】
【図１】気中開閉器の外観を示す図であり、（ａ）は電柱に設置した例を示し、（ｂ）は上面蓋の開閉器の例を示し、（ｃ）は下面蓋の開閉器の例を示す。
【図２】超音波を利用した浸水検出器の概観を示す図である。
【図３】真空ポンプ式の取付治具の構成を示す図であり、（ａ）は取付治具の正面図を示し、図３（ｂ）は取付治具の上面図を示す。
【図４】真空ポンプ５の空気量特性の例を示す図である。
【符号の説明】
【００３０】
１      取付治具
２      ベース板（ベース部材）
２１    枠（枠体、固定具）
３      吸盤
３１    吸気口
４      支持部
５      真空ポンプ
６      吸引管（管）
６１    ニードル弁（バルブ）
７      電池（電源）
８      電源入切受信部（信号受信部）
９      ネジ（ネジ部材、固定具）
Ｂ      開閉器
Ｄ      浸水検出器
【図１】
2010078511.tif 000004
【図２】
2010078511.tif 000005
【図３】
2010078511.tif 000006
【図４】
2010078511.tif 000007